(57)【要約】【課題】施工が容易な便器装置を提供すること。【解決手段】便鉢１１ａに薬剤を吐出して洗浄する便器装置１であって、便鉢１１ａと、薬剤を貯留する貯留部４と、貯留部４に接続される受け部６と、を有する便器部１０と、便器部１０の上部に配置され、受け部６に連通する接続開口部３２が形成されたベースプレート３１を有する機能部３０と、を備え、貯留部４は、薬剤が流出する流出口４２を有し、流出口４２が受け部６に接続されることで、薬剤が便器部１０に供給される、便器装置１である。【選択図】図２
2020002656.tif 000002
【特許請求の範囲】
【請求項１】
便鉢に薬剤を吐出して洗浄する便器装置であって、
前記便鉢と、前記薬剤を貯留する貯留部と、前記貯留部に接続される受け部と、を有する便器部と、
前記便器部の上部に配置され、前記受け部に連通する接続開口部が形成されたベースプレートを有する機能部と、を備え、
前記貯留部は、前記薬剤が流出する流出口を有し、
前記流出口が前記受け部に接続されることで、前記薬剤が前記便器部に供給される、便器装置。
【請求項２】
前記貯留部は、前記接続開口部を介して前記受け部に着脱可能な薬剤タンクにより構成され、
前記薬剤タンクは、
前記薬剤を収容するタンク本体と、
前記タンク本体の下部から下方に突出し、前記流出口が形成される突出部と、
前記流出口を開閉可能な開閉弁と、を有し、
前記受け部は、
前記流出口から流出する薬剤を受ける底面部と、
前記流出口の周囲を囲むように前記底面部から起立し、前記接続開口部の開口縁の内側に沿う側壁部と、
前記側壁部よりも内側に配置され、前記底面部から起立して前記突出部に接続される取付部と、
前記取付部の内側に配置され、前記底面部から上方に向かって突出し、前記突出部が前記取付部に接続されると同時に前記開閉弁を押し上げるボスと、
前記底面部に形成され、前記薬剤が流通可能な貫通孔と、を有する、請求項１に記載の便器装置。
【発明の詳細な説明】
【技術分野】
【０００１】
本発明は、便器装置に関する。
【背景技術】
【０００２】
従来、便鉢に洗浄水及び洗剤等の薬剤を用いて生成した泡を吐出し、便器を泡で洗浄する便器装置が知られている。便器装置は、便鉢及び洗剤を貯留するタンクを有し、泡が吐出される便器部と、便器装置の各種機能を実行する部品が配置されるベースプレートが配置される機能部とを有する。機能部から便器部へ洗剤を供給するには、タンクにホースが接続され、ホースが便器部側へ延びるように配置される（例えば、特許文献１参照）。
【先行技術文献】
【特許文献】
【０００３】
【特許文献１】特開２０１７−４４００３公報
【発明の概要】
【発明が解決しようとする課題】
【０００４】
ホースを用いて洗剤を供給すると、タンクとホースの接続部における接続不良や、ホースの座屈による劣化や詰まりが発生しやすくなる懸念があった。また、ホースの接続ためにコネクタやピン等の細かな部品を取り付ける必要があるが、部品の取付けを部分的に忘れたり、ピンが折れたりする破損等が発生しやすく、不具合が生じる確率が多くなる場合があった。
【課題を解決するための手段】
【０００５】
本発明は、便鉢（例えば、後述の便鉢１１ａ）に薬剤を吐出して洗浄する便器装置（例えば、後述の便器装置１）であって、前記便鉢と、前記薬剤を貯留する貯留部（例えば、後述のタンク４）と、前記貯留部に接続される受け部（例えば、後述の受け部６）と、を有する便器部（例えば、後述の便器部１０）と、前記便器部の上部に配置され、前記受け部に連通する接続開口部（例えば、後述の接続開口部３２）が形成されたベースプレート（例えば、後述のベースプレート３１）を有する機能部（例えば、後述の機能部３０）と、を備え、前記貯留部は、前記薬剤が流出する流出口（例えば、後述の流出口部４２）を有し、前記流出口が前記受け部に接続されることで、前記薬剤が前記便器部に供給される、便器装置に関する。
【０００６】
前記貯留部は、前記接続開口部を介して前記受け部に着脱可能な薬剤タンク（例えば、後述のタンク４）により構成され、前記薬剤タンクは、前記薬剤を収容するタンク本体（例えば、後述のタンク本体４０）と、前記タンク本体の下部から下方に突出し、前記流出口が形成される突出部（例えば、後述の突出部４２１）と、前記流出口を開閉可能な開閉弁（例えば、後述の開閉弁４３）と、を有し、前記受け部は、前記流出口から流出する薬剤を受ける底面部（例えば、後述の底面部６３）と、前記流出口の周囲を囲むように前記底面部から起立し、前記接続開口部の開口縁の内側に沿う側壁部（例えば、後述の側壁部６４）と、前記側壁部よりも内側に配置され、前記底面部から起立して前記突出部に接続される取付部（例えば、後述の取付部６５）と、前記取付部の内側に配置され、前記底面部から上方に向かって突出し、前記突出部が前記取付部に接続されると同時に前記開閉弁を押し上げるボス（例えば、後述のボス６２）と、前記底面部に形成され、前記薬剤が流通可能な貫通孔（例えば、後述の貫通孔６１）と、を有することが好ましい。
【発明の効果】
【０００７】
本発明によれば、施工が容易な便器装置を提供することができる。
【図面の簡単な説明】
【０００８】
【図１】本実施形態の便器装置の斜視図である。
【図２】本実施形態のタンクが受け部に接続された状態を示す図である。
【図３】本実施形態の吐泡装置を説明する模式図である。
【発明を実施するための形態】
【０００９】
以下、本実施形態の便器装置１の好ましい一実施形態について、図面を参照しながら説明する。図１は、本発明の一実施形態に係る便器装置１の斜視図である。
便器装置１は、外部の給水源から給水された便器を洗浄する洗浄水と、洗剤を混合して生成した泡とを吐出して洗浄する装置である。図１に示すように、便器装置１は、便器部１０と、機能部３０とを備える。
【００１０】
なお、本明細書において、薬剤として洗剤を例に説明するが、薬剤とは洗剤の他に、香料、抗菌・除菌剤等の水以外の成分を含む液体を意味する。また、水を電気分解等して生成されるイオン水等、水に何らかの機能的な変化を加えた液体も「薬剤」の概念に含まれる。
【００１１】
また、以下の説明においては、便器装置１の便座（図示省略）に座った人から視た場合の前後の向きを前後方向とする。また、便器装置１の便座（図示省略）に座った人から視た場合の左右の向きを左右方向とする。また、鉛直方向に沿った上下の向きを上下方向とする。
【００１２】
便器部１０は、設置面に設置される便器本体１１を有する。便器本体１１は、凹部が形成された便鉢１１ａが配置される前方部１１３及び便鉢１１ａの後方に位置する後方部１１４により構成される。便器本体１１の後方部１１４側には、便鉢１１ａに洗浄水を吐出する洗浄タンク１２（図３参照）等の洗浄機構と、泡を吐出する吐泡装置２０とが配置される。
便器部１０は、また、吐泡装置２０の一部を構成し、泡を生成するための洗剤を貯留する貯留部としてのタンク４と、タンク４に接続される受け部６と、を有する（図２参照。タンク４及び受け部６については後述する。）
【００１３】
機能部３０は、便器部１０の後方上部に配置され、便器装置１の各種機能を実行するために必要な部品が配置される部分である。機能部３０の前部は、便座（図示せず）及び便蓋３０２を回動自在に軸支している。機能部３０は、各種部品が取り付けられるベースプレート３１を有する。
【００１４】
図２は、タンク４が受け部６に接続された状態を示すである。
ベースプレート３１には、図２に示すように、板状の支持面であり、タンク４を配置する接続開口部３２が形成されている。ベースプレート３１の上部の全体は、後部上面カバー３０３により覆われている（図１参照）。
接続開口部３２は、タンク４の外縁よりも一回り大きな大きさの開口である。
【００１５】
受け部６は、便器本体１１の後方部１１４で、接続開口部３２の下方に配置される。受け部６は、接続開口部３２と連通しており、接続開口部３２から挿入されるタンク４に接続される。受け部６は、受け部本体６０と、底面部６３と、側壁部６４と、取付部６５と、貫通孔６１と、ボス６２と、を有する。
【００１６】
受け部本体６０は、ベースプレート３１の下方でベースプレート３１に沿って配置される陶製の平坦な板状部である。
【００１７】
底面部６３は、受け部本体６０の一部で、接続開口部３２に対向する部分である。底面部６３は、タンク４の流出口４２から流出する洗剤を受け止める。底面部６３は、後述するタンク４の平面視の形状と同様の形状及び面積を有する。例えば、底面部６３は、四角形である。
【００１８】
側壁部６４は、底面部６３の周囲で、底面部６３から上方に起立し、接続開口部３２の開口縁の内側に沿って延びる。側壁部６４は、平面視では、底面部６３の周囲を囲う枠状に形成されている。
【００１９】
取付部６５は、側壁部６４の内側に配置され、底面部６３から上方に起立する有底筒状の形状を有する。取付部６５は、後述するタンク４の突出部４２１に接続される部分である。図２に示すように、取付部６５は、底面部６３のうち取付部６５内の下面に延びる取付部底面６５１を有し、取付部底面６５１は、受け部６の底面部６３よりも下方に窪んだ位置にある。
【００２０】
ボス６２は、取付部６５の内側で取付部底面６５１の中央部に配置され、上方に向かって突出する。
貫通孔６１は、取付部底面６５１におけるボス６２の周囲に形成され、ボス６２と貫通孔６１の外側にある底面部６３とは、部分的に繋がっている。貫通孔６１を介して、洗剤が下方に流通可能になっている。
【００２１】
タンク４は、ベースプレート３１の接続開口部３２を介して、受け部６に着脱可能に配置される。タンク４は、ベースプレート３１の後部上面カバー３０３を開けると、使用者により取り出し可能になっている。タンク４は、タンク本体４０と、流出口４２と、開閉弁４３と、キャップ部４５と、把手部４７と、を有する。
【００２２】
タンク本体４０は、内部に洗剤を収容可能な容器であり、略直方体に構成される。タンク本体４０は、洗剤補充口４１を有する。
洗剤補充口４１は、タンク本体４０の上面における略中央部に形成される開口部である。洗剤補充口４１は、上方に突出する円筒形のリム４１１と、洗剤補充口４１を覆う蓋部４１２を有する。
【００２３】
流出口４２は、タンク本体４０の下部における略中央部に形成される開口部である。流出口４２は、タンク本体４０の下部から下方に突出する円筒形の突出部４２１に形成されており、突出部４２１の周囲には、ねじが形成されている。流出口４２から洗剤が流出可能になっている。
【００２４】
キャップ部４５は、タンク４の突出部４２１に設けられ、受け部６の取付部６５に嵌合されて接続される。キャップ部４５は、突出部４２１に係合可能な略円筒形の蓋であり、周縁部４５１と、底部４５２と、管状部４５３と、を有する。
【００２５】
周縁部４５１は、外側壁と内側壁とで二重になっており、内側壁が突出部４２１のねじに螺合し、上下方向に延びるキャップ部４５の外壁を構成する。
底部４５２は、流出口４２を塞ぐ方向に延びるフランジ状の平坦な面である。底部４５２の中心には、円形の貫通孔４５２ａが形成されている。
管状部４５３は、底部４５２から下方に突出する略円筒形の管状部であり、タンク４から便器部１０側へ向かう洗剤の流路となる。管状部４５３には、図２に示すように、管を遮る方向に延びて管状部４５３の流路を狭める支持部４５３ａが形成されている。支持部４５３ａの中心には円形の貫通孔４５３ｂが形成されており、後述する開閉弁４３が挿通可能になっている。なお、支持部４５３ａの貫通孔４５３ｂは、底部４５２の貫通孔４５２ａよりも径が小さい。
底部４５２の貫通孔４５２ａと、管状部４５３における支持部４５３ａに形成された貫通孔４５３ｂと、管状部４５３の下端の円形の開口とは、それぞれ径が異なるが、上下方向に同軸で並んでいる。
【００２６】
開閉弁４３は、流出口４２の突出部４２１内に配置され、ディスク部４３１と、バネ４３２と、シャフト４３３と、弁口キャップとしてのシールパッキン４３４と、を有する。
ディスク部４３１は、キャップ部４５の管状部４５３の下流側に配置される円盤状の基部である。ディスク部４３１は、管状部４５３内の支持部４５３ａの下流側に位置している。
シャフト４３３は、ディスク部４３１の中心から上方に延びる円柱状の軸部である。
バネ４３２は、シャフト４３３の周囲に取り付けられるコイルバネである。
シールパッキン４３４は、シャフト４３３の上部側に取り付けられる略円形の弾性部材であり、底部４５２の貫通孔４５２ａよりも径が大きい。
【００２７】
開閉弁４３は、タンク４が受け部６に接続されると同時に、キャップ部４５の管状部４５３内に配置されたディスク部４３１が、受け部６のボス６２によって、上方に押し上げられる。詳細には、ディスク部４３１と同時に、ディスク部４３１に繋がっているシャフト４３３及びシャフト４３３に取り付けられているシールパッキン４３４が上方に押し上げられる。したがって、シールパッキン４３４は、タンク４が受け部６に接続されると同時に、キャップ部４５の貫通孔４５２ａを開くようになっている。シールパッキン４３４が上に位置している間、底部４５２の貫通孔４５２ａは開いており、支持部４５３ａの貫通孔４５３ｂにも隙間が開いているので、洗剤は管状部４５３内へ流入し、受け部６の中央部の貫通孔６１を介して便器部１０の下方へと流れる。
タンク４を持ち上げて機能部３０から取り出すと、流出口４２の突出部４２１がディスク部４３１を上に押し上げていたボス６２から離れるので、シールパッキン４３４が下がり、底部４５２の貫通孔４５２ａを塞ぐので、洗剤は零れ落ちない。このように、開閉弁４３が流出口４２を開閉する。
【００２８】
把手部４７は、タンク本体４０に取り付けられる。把手部４７は、一対の軸部４７１と、持ち手部４７３とを有する。
一対の軸部４７１は、タンク本体４０から幅方向外側）に向かって突出する。
持ち手部４７３は、一対の軸部４７１に取り付けられて、倒した状態でタンク本体４０の外周の半分に沿うように配置される。把手部４７は、使用時には、持ち手部４７３を起こして握って持ち上げる。
【００２９】
図３は、吐泡装置２０を説明する模式図である。
図３に示すように、吐泡装置２０は、洗剤、水及び空気を混合して泡状の泡を生成し、泡を洗浄水に供給する機構である。吐泡装置２０は、タンク４と、泡発生用給水路２１と、泡生成部２２と、第１ホース２３と、泡ポンプ２４と、第２ホース２５と、空気供給管２６と、泡供給管２７とを有する。
【００３０】
泡発生用給水路２１は、外部の給水源から延びる給水管から分岐して、洗浄水を供給する給水管１３とは別に延びる配管により構成され、上水が流通する。
泡生成部２２は、泡発生用給水路２１に接続され、洗剤及び空気の供給を受ける。泡生成部２２は、洗剤及び泡発生用給水路２１から供給される泡発生用の水に、空気を混入し微細化して微細気泡を含有させ、泡を生成する装置である。
第１ホース２３は、上流端が受け部６に接続され、タンク４から供給される洗剤を便器部１０側へ供給するフレキシブルな管である。
泡ポンプ２４は、第１ホース２３の下流端に接続され、第１ホース２３に受け部６を介して接続されているタンク４から洗剤を吸引するポンプである。
第２ホース２５は、泡ポンプ２４と泡生成部２２とを接続するフレキシブルな管であり、泡ポンプ２４により吸引された洗剤を泡生成部２２へ供給する。
空気供給管２６は、泡生成部２２に接続され、泡を発生させるための空気を泡生成部２２に供給する管である。
泡供給管２７は、便鉢１１ａに泡を吐出するように配置される。泡生成部２２で生成された泡は、洗浄タンク１２から排出される洗浄水とともに便器部１０の便鉢１１ａへ排出される。泡は、便鉢１１ａの下部の貯水部（図示せず）に流れ、水よりも軽い泡によって貯留部の水面を覆う。
【００３１】
次に、タンク４の取付手順について説明する。取付部６５を有する受け部６を便器本体１１に設置する。受け部６が設置された状態でベースプレート３１をその上に設置する。次に、タンク４を受け部６の取付部６５に対して取り付ける。
【００３２】
図２に示すように、タンク４が受け部６に取り付けられると、タンク４の突出部４２１が、突出部４２１を囲むように配置されている受け部６の側壁部６４の内側にある取付部６５に接続される。これにより、突出部４２１に形成されている流出口４２が、キャップ部４５を介して受け部６に接続され、貫通孔６１と連通する。流出口４２、キャップ部４５の貫通孔４５２ａ、受け部６の貫通孔６１は、互いに連通し、洗剤が便器部１０へ供給される。なお、受け部６の下流には、第１ホース２３と受け部６とを接続する不図示の接続部品が取り付けられており、洗剤は第１ホース２３に流れて吐泡装置２０で泡が生成される。
【００３３】
図３に示すように、洗剤は、泡ポンプ２４に吸引されて泡生成部２２へ送られる。泡生成部２２には、泡発生用給水路２１から水、空気供給管２６から空気、第２ホース２５から洗剤が供給される。泡生成部２２で生成された泡は、洗浄タンク１２から排出される洗浄水とともに便器部１０の便鉢１１ａへ排出される。泡は、便鉢１１ａの下部の貯水部（図示せず）に流れ、水よりも軽い泡によって貯留部の水面を覆う。
【００３４】
本実施形態によれば、以下の効果が奏される。
本実施形態では、便鉢１１ａに洗剤を吐出して洗浄する便器装置１を、便鉢１１ａと、洗剤を貯留するタンク４と、タンク４に接続される受け部６と、を有する便器部１０と、便器部１０の上部に配置され、受け部６に連通する接続開口部３２が形成されたベースプレート３１を有する機能部３０と、を含んで構成した。タンク４を、洗剤が流出する流出口４２を含んで構成、流出口４２が受け部６に接続されることで、洗剤を便器部１０に供給するように構成した。
便器部１０に配置された受け部６に、ベースプレート３１側から接続開口部３２を介してタンク４を設置することで、タンク４の流出口部４２から便器部１０に洗剤が流れるので、洗剤を流出させる流出口部４２にホース等の複雑な部品を配置する必要がなくなる。これにより、タンク４の接続時のホースの座屈やタンクとホースの接続部における接続不良、ホースの座屈による劣化や詰まりを回避できる。またホースを用いて接続する場合には、ホースを接続するために接続部材等の細かな部品を取り付ける必要があるが、部品の取付けを部分的に忘れたり、接続部材の破損等が発生しやすく、不具合が生じる確率が多くなることが考えられる。これに対し、受け部６にタンク４を設置することで、不具合の発生を防止し、施工が容易な泡洗浄の便器装置１を提供することができる。
また、接続開口部３２の下方に受け部６が配置されているので、タンク４を取り付ける際に、ベースプレート３１の上方から受け部６が視認できる。このため、正確な位置にタンク４を接続することが容易になり、操作性も向上する。さらに、受け部６が洗剤で汚れたような場合にも、上方から掃除することができ、メンテナンス性に優れる。
【００３５】
タンク４は、接続開口部３２を介して受け部６に着脱可能であり、タンク４を、洗剤を収容するタンク本体４０と、タンク本体４０の下部から下方に突出し、流出口４２が形成される突出部４２１と、流出口４２を開閉可能な開閉弁４３と、を含んで構成した。また、受け部６を、流出口４２から流出する洗剤を受ける底面部６３と、流出口４２の周囲を囲むように底面部６３から起立し、接続開口部３２の開口縁の内側に沿う側壁部６４と、側壁部６４よりも内側に配置され、底面部６３から起立して突出部４２１に接続される取付部６５と、取付部６５の内側に配置され、底面部６３から上方に向かって突出し、突出部４２１が取付部６５に接続されると同時に開閉弁４３を押し上げるボス６２と、底面部６３に形成され、洗剤が流通可能な貫通孔６１と、を含んで構成した。受け部６で流出口４２を受け入れるようにすることで、仮に流出口４２から洗剤が漏れてしまっても、受け部６で止まり、機能部３０に流出することを防止することができる。
【００３６】
以上、本発明の好ましい実施形態について説明したが、本発明は、上述の実施形態に制限されるものではなく、適宜変更が可能である。
例えば、上記実施形態では、受け部６は、ベースプレート３１の下方でベースプレート３１に沿って配置される陶製の平坦な板状の受け部本体６０を有しているが、受け部の構成及び形状はこれに限られない。受け部６は、接続開口部３２の下方に配置される有底筒状の形状をしていてもよい。
【００３７】
また、上記実施形態では、ベースプレート３１を受け部６の上に設置した後でタンク４を受け部６に取り付けたが、これに限られない。タンク４を受け部６の取付部６５に取り付けた状態で、ベースプレート３１を受け部６の上に設置してもよい。
【符号の説明】
【００３８】
１      便器装置
４      タンク（貯留部、薬剤タンク）
６      受け部
１０    便器部
１１ａ  便鉢
３０    機能部
３１    ベースプレート
３２    接続開口部
４０    タンク本体
４２    流出口
４３    開閉弁
６２    ボス
６３    底面部
６４    側壁部
６５    取付部
４２１  突出部
【図１】
2020002656.tif 000003
【図２】
2020002656.tif 000004
【図３】
2020002656.tif 000005